(57)【要約】【課題】両基板同士を貼り合わせたときの位置ずれや基板の反りに起因する光漏れの影響を抑えることができる表示装置を提供する。【解決手段】複数のスペーサは、第１ＴＦＴｂと第２ＴＦＴｇとの間に配置された第１スペーサＰＳ１と、第１ＴＦＴｂと第３ＴＦＴｒとの間に配置された第２スペーサＰＳ２と、を含み、第１スペーサＰＳ１の中心ｓ１から、第１データ線ＤＬａの線幅の中心ｄ１までの距離ｔ１１は、第２スペーサＰＳ２の中心ｓ２から、第２データ線ＤＬｂの線幅の中心ｄ２までの距離ｔ１２よりも小さい。【選択図】図５
2015045784.tif 000002
【特許請求の範囲】
【請求項１】
第１基板と、
前記第１基板に対向する第２基板と、
前記第１基板と前記第２基板との間に設置された複数のスペーサと、
前記第１基板上に形成された、列方向に延在する複数のデータ線と、行方向に延在する複数のゲート線と、前記複数のデータ線と前記複数のゲート線とのそれぞれの交差部近傍に形成された複数の薄膜トランジスタと、隣り合う２本のデータ線と隣り合う２本のゲート線とにより規定される１つの画素がマトリクス状に配置された複数の画素と、
前記第２基板上に形成された、前記複数の画素のそれぞれに対向する複数の光透過部と、
を含み、
前記複数の画素は、第１色の光を透過する第１光透過部に対向する第１画素と、前記第１色の光よりも視感度が高い第２色の光を透過する第２光透過部に対向する第２画素と、前記第１色の光より視感度が高い第３色の光を透過する第３光透過部に対向する第３画素と、を含み、
前記複数のデータ線は、隣り合う前記第１画素と前記第２画素との間に配置される第１データ線と、隣り合う前記第１画素と前記第３画素との間に配置される第２データ線と、を含み、
前記複数の薄膜トランジスタは、前記第１画素の領域内に形成された第１薄膜トランジスタと、前記第２画素の領域内に形成された第２薄膜トランジスタと、前記第３画素の領域内に形成された第３薄膜トランジスタと、を含み、
前記複数のスペーサは、行方向に隣り合う前記第１薄膜トランジスタと前記第２薄膜トランジスタとの間に配置された第１スペーサと、行方向に隣り合う前記第１薄膜トランジスタと前記第３薄膜トランジスタとの間に配置された第２スペーサと、を含み、
前記第１スペーサの中心から、前記第１データ線の線幅の中心までの距離は、前記第２スペーサの中心から、前記第２データ線の線幅の中心までの距離よりも小さい、
ことを特徴とする表示装置。
【請求項２】
前記第１基板と前記第２基板との間に液晶層を含み、
前記第１基板はさらに配向膜を含み、
前記配向膜は光配向処理されている、ことを特徴とする請求項１に記載の表示装置。
【請求項３】
第１基板と、
前記第１基板に対向する第２基板と、
前記第１基板と前記第２基板との間に設置された複数のスペーサと、
前記第１基板上に形成された、前記複数のスペーサを保持する複数の台座と、行方向に延在する複数のデータ線と、列方向に延在する複数のゲート線と、前記複数のデータ線と前記複数のゲート線とのそれぞれの交差部近傍に形成された複数の薄膜トランジスタと、隣り合う２本のデータ線と隣り合う２本のゲート線とにより規定される１つの画素がマトリクス状に配置された複数の画素と、
前記第２基板上に形成された、前記複数の画素のそれぞれに対向する複数の光透過部と、
を含み、
前記複数の画素は、第１色の光を透過する第１光透過部に対向する第１画素と、前記第１色の光よりも視感度が高い第２色の光を透過する第２光透過部に対向する第２画素と、前記第１色の光より視感度が高い第３色の光を透過する第３光透過部に対向する第３画素と、を含み、
前記複数のデータ線は、隣り合う前記第１画素と前記第２画素との間に配置される第１データ線と、隣り合う前記第１画素と前記第３画素との間に配置される第２データ線と、を含み、
前記複数の薄膜トランジスタは、前記第１画素の領域内に形成された第１薄膜トランジスタと、前記第２画素の領域内に形成された第２薄膜トランジスタと、前記第３画素の領域内に形成された第３薄膜トランジスタと、を含み、
前記複数の台座は、行方向に隣り合う前記第１薄膜トランジスタと前記第２薄膜トランジスタとの間に形成された第１台座と、行方向に隣り合う前記第１薄膜トランジスタと前記第３薄膜トランジスタとの間に形成された第２台座と、を含み、
前記複数のスペーサは、前記第１台座に設置された第１スペーサと、前記第２台座に設置された第２スペーサと、を含み、
前記第１スペーサの中心は、前記第１台座の中心よりも前記第１薄膜トランジスタ側にシフトしており、前記第２スペーサの中心は、前記第２台座の中心よりも前記第１薄膜トランジスタ側にシフトしている、
ことを特徴とする表示装置。
【請求項４】
前記第１スペーサの中心から、前記第１台座の中心までの距離は、前記第２スペーサの中心から、前記第２台座の中心までの距離と略同じである、ことを特徴とする請求項３に記載の表示装置。
【請求項５】
第１基板と、
前記第１基板に対向する第２基板と、
前記第１基板と前記第２基板との間に設置された複数のスペーサと、
前記第１基板上に形成された、列方向に延在する複数のデータ線と、行方向に延在する複数のゲート線と、前記複数のデータ線と前記複数のゲート線とのそれぞれの交差部近傍に形成された複数の薄膜トランジスタと、隣り合う２本のデータ線と隣り合う２本のゲート線とにより規定される１つの画素がマトリクス状に配置された複数の画素と、
前記第２基板上に形成された、前記複数の画素のそれぞれに対向する複数の光透過部と、
を含み、
前記複数の画素は、青色の光を透過する光透過部に対向する青色画素と、緑色の光を透過する光透過部に対向する緑色画素と、赤色の光を透過する光透過部に対向する赤色画素と、を含み、
前記複数の薄膜トランジスタは、前記青色画素の領域内に形成された第１薄膜トランジスタと、前記緑色画素の領域内に形成された第２薄膜トランジスタと、前記赤色画素の領域内に形成された第３薄膜トランジスタと、を含み、
前記複数のスペーサは、行方向に隣り合う前記第１薄膜トランジスタと前記第２薄膜トランジスタとの間、及び、行方向に隣り合う前記第１薄膜トランジスタと前記第３薄膜トランジスタとの間に配置されている一方、行方向に隣り合う前記第２薄膜トランジスタと前記第３薄膜トランジスタとの間には配置されていない、
ことを特徴とする表示装置。
【請求項６】
第１基板と、
前記第１基板に対向する第２基板と、
前記第１基板と前記第２基板との間に設置された複数のスペーサと、
を含み、
前記第２基板上に、それぞれが遮光層で囲まれ光を透過する部位が短辺と長辺とからなる略矩形状である、青色の光を透過する青色光透過部と、緑色の光を透過する緑色光透過部と、赤色の光を透過する赤色光透過部とが、マトリクス状に配置されており、
前記複数のスペーサは、前記青色光透過部と前記緑色光透過部との境界近傍で、かつ光透過部の短辺側に配置された第１スペーサと、前記青色光透過部と前記赤色光透過部との境界近傍で、かつ光透過部の短辺側に配置された第２スペーサと、を含み、
前記青色光透過部の短辺の中心から前記第２スペーサの中心までの距離は、前記緑色光透過部の短辺の中心から前記第１スペーサの中心までの距離よりも小さい、
ことを特徴とする表示装置。
【請求項７】
第１基板と、
前記第１基板に対向する第２基板と、
前記第１基板と前記第２基板との間に設置された複数のスペーサと、
を含み、
前記第２基板上に、それぞれが遮光層で囲まれ光を透過する部位が短辺と長辺とからなる略矩形状である、青色の光を透過する青色光透過部と、緑色の光を透過する緑色光透過部と、赤色の光を透過する赤色光透過部とが、マトリクス状に配置されており、
前記複数のスペーサは、前記青色光透過部と前記緑色光透過部との境界近傍で、かつ光透過部の短辺側に配置された第１スペーサと、前記青色光透過部と前記赤色光透過部との境界近傍で、かつ光透過部の短辺側に配置された第２スペーサと、を含み、
前記青色光透過部の短辺の中心から前記第１スペーサの中心までの距離は、前記赤色光透過部の短辺の中心から前記第２スペーサの中心までの距離よりも小さい、
ことを特徴とする表示装置。
【発明の詳細な説明】
【技術分野】
【０００１】
本発明は、表示装置に関し、特には、第１基板及び第２基板の間に形成されるスペーサの配置に関する。
【背景技術】
【０００２】
表示装置には、第１基板と第２基板との間の距離（ギャップ）を保持するためにスペーサが配置される。スペーサは、画素の開口率を低下させない位置に配置される必要がある。例えば特許文献１には、画素の開口率の低下を抑えるためのスペーサの配置に関する技術が開示されている。
【０００３】
具体的には、特許文献１の液晶表示素子では、２個以上の画素電極毎に１個の割合でスペーサが配置されるとともに、スペーサが配置される部分の画素電極に、スペーサを配置するための切欠きが形成されている。
【先行技術文献】
【特許文献】
【０００４】
【特許文献１】特開２００２−１９６３３８号公報
【発明の概要】
【発明が解決しようとする課題】
【０００５】
しかしながら、近年の表示装置では、高精細化によりスペーサを配置する領域が少なくなっており、両基板同士を貼り合わせたときの位置ずれや基板の反りにより、スペーサが光透過領域を傷付け、光漏れによる影響が問題となっていた。
【０００６】
本発明は、上記問題点に鑑みてなされたものであり、その目的は、両基板同士を貼り合わせたときの位置ずれや基板の反りに起因する光漏れの影響を抑えることができる表示装置を提供することにある。
【課題を解決するための手段】
【０００７】
本発明に係る表示装置は、上記課題を解決するために、第１基板と、前記第１基板に対向する第２基板と、前記第１基板と前記第２基板との間に設置された複数のスペーサと、前記第１基板上に形成された、列方向に延在する複数のデータ線と、行方向に延在する複数のゲート線と、前記複数のデータ線と前記複数のゲート線とのそれぞれの交差部近傍に形成された複数の薄膜トランジスタと、隣り合う２本のデータ線と隣り合う２本のゲート線とにより規定される１つの画素がマトリクス状に配置された複数の画素と、前記第２基板上に形成された、前記複数の画素のそれぞれに対向する複数の光透過部と、を含み、前記複数の画素は、第１色の光を透過する第１光透過部に対向する第１画素と、前記第１色の光よりも視感度が高い第２色の光を透過する第２光透過部に対向する第２画素と、前記第１色の光より視感度が高い第３色の光を透過する第３光透過部に対向する第３画素と、含み、前記複数のデータ線は、隣り合う前記第１画素と前記第２画素との間に配置される第１データ線と、隣り合う前記第１画素と前記第３画素との間に配置される第２データ線と、を含み、前記複数の薄膜トランジスタは、前記第１画素の領域内に形成された第１薄膜トランジスタと、前記第２画素の領域内に形成された第２薄膜トランジスタと、前記第３画素の領域内に形成された第３薄膜トランジスタと、を含み、前記複数のスペーサは、行方向に隣り合う前記第１薄膜トランジスタと前記第２薄膜トランジスタとの間に配置された第１スペーサと、行方向に隣り合う前記第１薄膜トランジスタと前記第３薄膜トランジスタとの間に配置された第２スペーサと、を含み、前記第１スペーサの中心から、前記第１データ線の線幅の中心までの距離は、前記第２スペーサの中心から、前記第２データ線の線幅の中心までの距離よりも小さい、ことを特徴とする。
【０００８】
また前記表示装置は、前記第１基板と前記第２基板との間に液晶層を含み、前記第１基板はさらに配向膜を含み、前記配向膜は光配向処理されていてもよい。
【０００９】
本発明に係る表示装置は、上記課題を解決するために、第１基板と、前記第１基板に対向する第２基板と、前記第１基板と前記第２基板との間に設置された複数のスペーサと、前記第１基板上に形成された、前記複数のスペーサを保持する複数の台座と、行方向に延在する複数のデータ線と、列方向に延在する複数のゲート線と、前記複数のデータ線と前記複数のゲート線とのそれぞれの交差部近傍に形成された複数の薄膜トランジスタと、隣り合う２本のデータ線と隣り合う２本のゲート線とにより規定される１つの画素がマトリクス状に配置された複数の画素と、前記第２基板上に形成された、前記複数の画素のそれぞれに対向する複数の光透過部と、を含み、前記複数の画素は、第１色の光を透過する第１光透過部に対向する第１画素と、前記第１色の光よりも視感度が高い第２色の光を透過する第２光透過部に対向する第２画素と、前記第１色の光より視感度が高い第３色の光を透過する第３光透過部に対向する第３画素と、を含み、前記複数のデータ線は、隣り合う前記第１画素と前記第２画素との間に配置される第１データ線と、隣り合う前記第１画素と前記第３画素との間に配置される第２データ線と、を含み、前記複数の薄膜トランジスタは、前記第１画素の領域内に形成された第１薄膜トランジスタと、前記第２画素の領域内に形成された第２薄膜トランジスタと、前記第３画素の領域内に形成された第３薄膜トランジスタと、を含み、前記複数の台座は、行方向に隣り合う前記第１薄膜トランジスタと前記第２薄膜トランジスタとの間に形成された第１台座と、行方向に隣り合う前記第１薄膜トランジスタと前記第３薄膜トランジスタとの間に形成された第２台座と、を含み、前記複数のスペーサは、前記第１台座に設置された第１スペーサと、前記第２台座に設置された第２スペーサと、を含み、前記第１スペーサの中心は、前記第１台座の中心よりも前記第１薄膜トランジスタ側にシフトしており、前記第２スペーサの中心は、前記第２台座の中心よりも前記第１薄膜トランジスタ側にシフトしている、ことを特徴とする。
【００１０】
また前記表示装置では、前記第１スペーサの中心から、前記第１台座の中心までの距離は、前記第２スペーサの中心から、前記第２台座の中心までの距離と略同じであってもよい。
【００１１】
本発明に係る表示装置は、上記課題を解決するために、第１基板と、前記第１基板に対向する第２基板と、前記第１基板と前記第２基板との間に設置された複数のスペーサと、前記第１基板上に形成された、列方向に延在する複数のデータ線と、行方向に延在する複数のゲート線と、前記複数のデータ線と前記複数のゲート線とのそれぞれの交差部近傍に形成された複数の薄膜トランジスタと、隣り合う２本のデータ線と隣り合う２本のゲート線とにより規定される１つの画素がマトリクス状に配置された複数の画素と、前記第２基板上に形成された、前記複数の画素のそれぞれに対向する複数の光透過部と、を含み、前記複数の画素は、青色の光を透過する光透過部に対向する青色画素と、緑色の光を透過する光透過部に対向する緑色画素と、赤色の光を透過する光透過部に対向する赤色画素と、含み、前記複数の薄膜トランジスタは、前記青色画素の領域内に形成された第１薄膜トランジスタと、前記緑色画素の領域内に形成された第２薄膜トランジスタと、前記赤色画素の領域内に形成された第３薄膜トランジスタと、を含み、前記複数のスペーサは、行方向に隣り合う前記第１薄膜トランジスタと前記第２薄膜トランジスタとの間、及び、行方向に隣り合う前記第１薄膜トランジスタと前記第３薄膜トランジスタとの間に配置されている一方、行方向に隣り合う前記第２薄膜トランジスタと前記第３薄膜トランジスタとの間には配置されていない、ことを特徴とする。
【００１２】
本発明に係る表示装置は、上記課題を解決するために、第１基板と、前記第１基板に対向する第２基板と、前記第１基板と前記第２基板との間に設置された複数のスペーサと、を含み、前記第２基板上に、それぞれが遮光層で囲まれ光を透過する部位が短辺と長辺とからなる略矩形状である、青色の光を透過する青色光透過部と、緑色の光を透過する緑色光透過部と、赤色の光を透過する赤色光透過部とが、マトリクス状に配置されており、前記複数のスペーサは、前記青色光透過部と前記緑色光透過部との境界近傍で、かつ光透過部の短辺側に配置された第１スペーサと、前記青色光透過部と前記赤色光透過部との境界近傍で、かつ光透過部の短辺側に配置された第２スペーサと、を含み、前記青色光透過部の短辺の中心から前記第２スペーサの中心までの距離は、前記緑色光透過部の短辺の中心から前記第１スペーサの中心までの距離よりも小さい、ことを特徴とする。
【００１３】
本発明に係る表示装置は、上記課題を解決するために、第１基板と、前記第１基板に対向する第２基板と、前記第１基板と前記第２基板との間に設置された複数のスペーサと、を含み、前記第２基板上に、それぞれが遮光層で囲まれ光を透過する部位が短辺と長辺とからなる略矩形状である、青色の光を透過する青色光透過部と、緑色の光を透過する緑色光透過部と、赤色の光を透過する赤色光透過部とが、マトリクス状に配置されており、前記複数のスペーサは、前記青色光透過部と前記緑色光透過部との境界近傍で、かつ光透過部の短辺側に配置された第１スペーサと、前記青色光透過部と前記赤色光透過部との境界近傍で、かつ光透過部の短辺側に配置された第２スペーサと、を含み、前記青色光透過部の短辺の中心から前記第１スペーサの中心までの距離は、前記赤色光透過部の短辺の中心から前記第２スペーサの中心までの距離よりも小さい、ことを特徴とする。
【発明の効果】
【００１４】
本発明に係る表示装置の構成によれば、両基板同士を貼り合わせたときの位置ずれや基板の反りが生じたとしても、スペーサは視感度が低い色の光を透過する光透過部に対向する画素の方へずれるため、光漏れの影響を抑えることができる。
【図面の簡単な説明】
【００１５】
【図１】本発明の実施形態に係る液晶表示装置の構成を示す平面図である。
【図２】ＴＦＴ基板の構成を示す平面図である。
【図３】ＣＦ基板の構成を示す平面図である。
【図４】表示パネルの構成を示す断面図である。
【図５】実施例１に係るＴＦＴ基板の一部分を拡大した平面図である。
【図６】実施例２に係るＴＦＴ基板の一部分を拡大した平面図である。
【図７】実施例３に係るＴＦＴ基板の一部分を拡大した平面図である。
【発明を実施するための形態】
【００１６】
本発明の実施形態について、図面を用いて以下に説明する。本実施形態では、液晶表示装置を例に挙げるが、本発明に係る表示装置は液晶表示装置に限定されるものではなく、例えば有機ＥＬ表示装置等であってもよい。
【００１７】
図１は、本実施形態に係る液晶表示装置の全体構成を示す平面図である。液晶表示装置１は、画像を表示する表示パネル１０と、表示パネル１０を駆動する駆動回路（データ線駆動回路、ゲート線駆動回路）と、駆動回路を制御する制御回路（図示せず）と、表示パネル１０に背面側から光を照射するバックライト（図示せず）とを含んで構成されている。図１には、後述するスペーサＰＳを示している。
【００１８】
表示パネル１０は、背面側に配置される薄膜トランジスタ基板１００（以下、ＴＦＴ基板という。）（第１基板）と、前面側に配置されＴＦＴ基板１００に対向するカラーフィルタ基板２００（以下、ＣＦ基板という。）（第２基板）と、ＴＦＴ基板１００及びＣＦ基板２００の間に挟持される液晶層３００と、を含んでいる。図２はＴＦＴ基板１００の一部の構成を示す平面図であり、図３はＣＦ基板２００の一部の構成を示す平面図である。図２及び図３は、表示パネル１０を視認方向から見た状態を示している。またＴＦＴ基板１００及びＣＦ基板２００の全体構成（図１参照）は、図２及び図３に示す構成が連続したものとなる。図４は、表示パネル１０の構成を示す断面図である。
【００１９】
ＴＦＴ基板１００には、列方向に延在する複数のデータ線ＤＬ（ＤＬａ、ＤＬｂ、ＤＬｃ）と、行方向に延在する複数のゲート線ＧＬとが形成され、複数のデータ線ＤＬと複数のゲート線ＧＬとのそれぞれの交差部近傍に薄膜トランジスタ（ＴＦＴ）（ＴＦＴｒ、ＴＦＴｇ、ＴＦＴｂ）が形成され、隣り合う２本のデータ線ＤＬと隣り合う２本のゲート線ＧＬとにより囲まれる矩形領域が１つの画素Ｐ（Ｐｒ、Ｐｇ、Ｐｂ）として規定され、該画素Ｐがマトリクス状に複数配置されている。各画素Ｐには、スズ添加酸化インジウム（ＩＴＯ）等の透明導電膜からなり開口部を有する画素電極ＰＩＴが設けられている。ＴＦＴでは、ゲート絶縁膜（図示せず）上に、非晶質シリコン（ａＳｉ）からなる半導体層１１１が形成され、半導体層１１１上にドレイン電極１１２及びソース電極（図示せず）が形成されている。ドレイン電極１１２はデータ線ＤＬに電気的に接続され、ソース電極と画素電極ＰＩＴとはコンタクトホールＣＨを介して電気的に接続されている。
【００２０】
図３及び図４に示すように、ＣＦ基板２００には、複数の画素Ｐのそれぞれに対向する複数の光透過部２１０（２１０ｒ、２１０ｇ、２１０ｂ）と、ＴＦＴ基板１００及びＣＦ基板２００の間に設置され両基板間の距離（ギャップ）を保持する複数のスペーサＰＳと、が形成されている。なお、図４は、図２及び図３におけるゲート線ＧＬ上を切断した断面を示し、ＴＦＴ等の周知の構造は省略している。
【００２１】
図３に示すように、光透過部２１０は、光の透過を遮断する遮光層（ブラックマトリクス）ＢＭで囲まれており、対向する２本の短辺と対向する２本の長辺とからなる矩形状に形成されている。また、複数の光透過部２１０は、赤色の着色層（赤色層）が形成され赤色（Ｒ色）の光を透過する赤色光透過部２１０ｒと、緑色の着色層（緑色層）が形成され緑色（Ｇ色）の光を透過する緑色光透過部２１０ｇと、青色の着色層（青色層）が形成され青色（Ｂ色）の光を透過する青色光透過部２１０ｂと、を含んでいる。赤色光透過部２１０ｒ、緑色光透過部２１０ｇ、及び青色光透過部２１０ｂが行方向にこの順に配列され、同一色の光透過部２１０が列方向に配列され、行方向及び列方向に隣り合う光透過部２１０の間の領域に遮光層ＢＭが形成されている。
【００２２】
図２に示すように、複数の画素Ｐは、赤色光透過部２１０ｒに対向する赤色画素Ｐｒ（第３画素）と、緑色光透過部２１０ｇに対向する緑色画素Ｐｇ（第２画素）と、青色光透過部２１０ｂに対向する青色画素Ｐｂ（第１画素）と、を含んでいる。また、複数の画素Ｐは光透過部２１０の配置に対応し、赤色画素Ｐｒ、緑色画素Ｐｇ、及び青色画素Ｐｂが行方向にこの順に配列され、同一色の画素Ｐが列方向に配列されている。
【００２３】
複数のＴＦＴは、赤色画素Ｐｒの領域内に形成された第３ＴＦＴｒ（第３ＴＦＴ）と、緑色画素Ｐｇの領域内に形成された第２ＴＦＴｇ（第２ＴＦＴ）と、青色画素Ｐｂの領域内に形成された第１ＴＦＴｂ（第１ＴＦＴ）と、を含んでいる。
【００２４】
複数のデータ線ＤＬは、隣り合う青色画素Ｐｂと緑色画素Ｐｇとの間に配置される第１データ線ＤＬａと、隣り合う青色画素Ｐｂと赤色画素Ｐｒとの間に配置される第２データ線ＤＬｂと、隣り合う赤色画素Ｐｒと緑色画素Ｐｇとの間に配置される第３データ線ＤＬｃと、を含んでいる。第１データ線ＤＬａ、第２データ線ＤＬｂ、及び第３データ線ＤＬｃは、行方向にこの順に配列されている。
【００２５】
スペーサＰＳは、図３に示すように、平面視で遮光層ＢＭ及びゲート線ＧＬに重なるようにＣＦ基板２００に形成されている。また表示パネルの高精細化によりスペーサを配置する領域が限られており、スペーサＰＳはＴＦＴの近傍に配置される。すなわち、スペーサＰＳは、図２に示すように、平面視で、行方向に隣り合うＴＦＴの間に配置されるようにＣＦ基板２００に形成されている。また、スペーサＰＳは、それぞれの色（本実施形態では赤色、青色、緑色）の画素を含む１つの画素組に対して１つ又は複数設けられていてもよいし、複数の画素組に対して１つの割合で設けられていてもよい。またスペーサＰＳの形状は円柱状に限定されず、角柱状、円錐状等とすることができる。
【００２６】
また図２及び図４に示すように、ＴＦＴ基板１００には、ＣＦ基板２００と貼り合わされたときにスペーサＰＳのそれぞれを保持する複数の台座１３０が形成されている。台座１３０は、ＴＦＴ基板１００において、行方向及び列方向に等間隔でＴＦＴの近傍に形成されている。台座１３０は、例えば、絶縁膜及び配線層の積層体で形成されている。
【００２７】
本実施形態に係る液晶表示装置は、スペーサＰＳを配置する位置を規定することにより、ＴＦＴ基板１００及びＣＦ基板２００同士を貼り合わせたときの位置ずれや基板の反りに起因する光漏れの影響を抑えることができるものである。以下では、スペーサＰＳの配置位置の具体例を説明する。
【００２８】
［実施例１］
図５は、実施例１に係るＴＦＴ基板１００の部分拡大図である。同図では、青色画素Ｐｂとこれに隣り合う緑色画素Ｐｇ及び赤色画素Ｐｒとを拡大して示している。
【００２９】
複数のスペーサＰＳは、行方向に隣り合う第１ＴＦＴｂと第２ＴＦＴｇとの間に配置された第１スペーサＰＳ１と、行方向に隣り合う第１ＴＦＴｂと第３ＴＦＴｒとの間に配置された第２スペーサＰＳ２と、を含んでいる。また、複数の台座１３０は、第１スペーサＰＳ１が設置される第１台座１３０ａと、第２スペーサＰＳ２が設置される第２台座１３０ｂと、を含んでいる。第１スペーサＰＳ１及び第２スペーサＰＳ２は、第１スペーサＰＳ１の中心ｓ１から第１データ線ＤＬａの線幅の中心ｄ１までの行方向の距離ｔ１１が、第２スペーサＰＳ２の中心ｓ２から第２データ線ＤＬｂの線幅の中心ｄ２までの行方向の距離ｔ１２よりも小さく（ｔ１１＜ｔ１２）なるように、配置されている。なお、図５（以降の図も同様）では便宜上、第１スペーサＰＳ１及び第２スペーサＰＳ２を透視した状態を示している。ここで上記中心（ｓ１、ｓ２）は、スペーサＰＳにおけるＴＦＴ基板１００に対向する面（対向領域）における行方向の中心線ｃと列方向の中心線ｒとの交点をいう（図５の拡大図参照）。換言すると、上記中心（ｓ１、ｓ２）は、上記対向領域をＴＦＴ基板１００に投影したときの投影領域における行方向に延びる中心線ｃと列方向に延びる中心線ｒとの交点をいう。図５に示すように、スペーサＰＳが円柱状である場合は、上記対向領域（投影領域）は円となるため、上記中心は円の中心となる。またスペーサＰＳが、円錐状（ＣＦ基板２００側からＴＦＴ基板１００側に向かうほど断面の面積が小さくなる形状）の場合にも、上記対向領域（投影領域）は円となるため、上記中心は円の中心となる。なお断面形状及び上記対向領域（投影領域）が円でない場合（楕円や多角形状の場合）は、上記中心は上記対向領域の重心となる。上記中心の定義は以下も同様である。
【００３０】
［実施例２］
図６は、実施例２に係るＴＦＴ基板１００の部分拡大図である。同図も、青色画素Ｐｂとこれに隣り合う緑色画素Ｐｇ及び赤色画素Ｐｒとを拡大して示している。
【００３１】
複数の台座１３０は、行方向に隣り合う第１ＴＦＴｂと第２ＴＦＴｇとの間に形成された第１台座１３０ａと、行方向に隣り合う第１ＴＦＴｂと第３ＴＦＴｒとの間に形成された第２台座１３０ｂと、を含んでいる。また、複数のスペーサＰＳは、第１台座１３０ａに設置された第１スペーサＰＳ１と、第２台座１３０ｂに設置された第２スペーサＰＳ２と、を含んでいる。
【００３２】
第１スペーサＰＳ１の中心ｓ１は、第１台座１３０ａの中心ｂ１（行方向の幅の中心線）よりも第１ＴＦＴｂ側にシフトしており、第２スペーサＰＳ２の中心ｓ２は、第２台座１３０ｂの中心ｂ２（行方向の幅の中心線）よりも第１ＴＦＴｂ側にシフトしている。
【００３３】
また、第１スペーサＰＳ１及び第２スペーサＰＳ２は、第１スペーサＰＳ１の中心ｓ１から第１台座１３０ａの中心ｂ１までの行方向の距離ｔ２１が、第２スペーサＰＳ２の中心ｓ２から第２台座１３０ｂの中心ｂ２までの行方向の距離ｔ２２と略同じ（ｔ２１≒ｔ２２）になるように、配置されている。例えば、第１スペーサＰＳ１は第１台座１３０ａの中心ｂ１から第１ＴＦＴｂ側（プラス方向）に４μｍシフトし、第２スペーサＰＳ２は第２台座１３０ｂの中心ｂ２から第１ＴＦＴｂ側（マイナス方向）に４μｍシフトしている。
【００３４】
［実施例３］
図７は、実施例３に係るＣＦ基板１００の部分拡大図である。同図は、図２のＴＦＴ基板１００に対向する部分を示している。
【００３５】
複数のスペーサＰＳは、青色光透過部２１０ｂと緑色光透過部２１０ｇとの境界近傍で、かつ光透過部２１０の短辺側に配置された第１スペーサＰＳ１と、青色光透過部２１０ｂと赤色光透過部２１０ｒとの境界近傍で、かつ光透過部２１０の短辺側に配置された第２スペーサＰＳ２と、を含んでいる。
【００３６】
また、第１スペーサＰＳ１及び第２スペーサＰＳ２は、青色光透過部２１０ｂの短辺の中心ｍ２から第２スペーサＰＳ２の中心ｓ２までの行方向の距離ｔ３２が、緑色光透過部２１０ｇの短辺の中心ｍ１から第１スペーサＰＳ１の中心ｓ１までの行方向の距離ｔ３１よりも小さく（ｔ３２＜ｔ３１）なるように、配置されている。
【００３７】
また、第１スペーサＰＳ１及び第２スペーサＰＳ２は、青色光透過部２１０ｂの短辺の中心ｍ２から第１スペーサＰＳ１の中心ｓ１までの行方向の距離ｔ４１が、赤色光透過部２１０ｒの短辺の中心ｍ３から第２スペーサＰＳ２の中心ｓ２までの行方向の距離ｔ４２よりも小さく（ｔ４１＜ｔ４２）なるように、配置されている。
【００３８】
上記各実施例に係る構成によれば、ＴＦＴ基板１００及びＣＦ基板２００同士を貼り合わせたときの位置ずれや基板の反りが生じたとしても、スペーサＰＳは、光透過部２１０が透過する光の色のうち視感度が最も低い色（青色）の光を透過する青色光透過部２１０ｂに対向する青色画素Ｐｂの方へずれるため、光漏れの影響を抑えることができる。
【００３９】
ここで、上記各実施例において、スペーサＰＳは、図１及び図２に示すように、行方向に隣り合う第３ＴＦＴｒと第２ＴＦＴｇとの間には配置されていない。すなわち、スペーサＰＳは、青色光透過部２１０ｂよりも視感度が高い光を透過する、赤色光透過部２１０ｒ（赤色画素Ｐｒ）と緑色光透過部２１０ｇ（緑色画素Ｐｇ）との間には配置されていない。そのため、ＴＦＴ基板１００及びＣＦ基板２００同士を貼り合わせたときの位置ずれや基板の反りに起因する光漏れの影響を抑えることができる。
【００４０】
上記各実施例に係る構成を示す図５〜図７では、表示パネル１０の一部のみを示しているが、これらの構成はそれぞれ、表示パネル１０の全領域（図１参照）に適用されることは言うまでもない。
【００４１】
ここで、スペーサＰＳは、周知の方法によりＣＦ基板２００に形成することができる。例えば、感光性樹脂組成物を用いてフォトリソグラフィーにより、スペーサＰＳ（フォトスペーサ）を形成することができる。また、スペーサＰＳは、各着色層を積層した積層体で構成されていてもよい。
【００４２】
また、上記各実施例では、光透過部２１０が透過する光の色のうち視感度が最も高い色（緑色）の光を透過する緑色光透過部２１０ｇの周辺にスペーサＰＳが配置されている。この場合、ラビング工程の際に、緑色光透過部２１０ｇの周辺に配置されたスペーサＰＳの影響により、光透過部２１０に傷が生じ、光漏れが生じるおそれがある。すなわち、緑色光透過部２１０ｇの周辺にスペーサＰＳが配置されることによる、光漏れの影響が懸念される。そこで、ＴＦＴ基板１００及びＣＦ基板２００に形成される配向膜は、光配向処理されていてもよい。光配向膜を用いればラビング工程が不要になるため、特にＣＦ基板２００側のスペーサＰＳの配置に起因するラビング不良に伴う光漏れの影響を防ぐことができる。
【００４３】
また、上記各実施例では、光透過部２１０には、赤色光透過部２１０ｒ、緑色光透過部２１０ｇ、青色光透過部２１０ｂが含まれている。しかし、本発明はこれに限定されるものではなく、赤緑青以外の色を透過する光透過部２１０が含まれていてもよい。
【００４４】
以上、本発明の実施形態について説明したが、本発明は上記各実施形態に限定されるものではなく、本発明の趣旨を逸脱しない範囲内で上記各実施形態から当業者が適宜変更した形態も本発明の技術的範囲に含まれることは言うまでもない。
【符号の説明】
【００４５】
１０  表示パネル、１００  ＴＦＴ基板、１１１  半導体層、１１２  ドレイン電極、１３０  台座、１３０ａ  第１台座、１３０ｂ  第２台座、２００  ＣＦ基板、２１０  光透過部、２１０ｒ  赤色光透過部、２１０ｇ  緑色光透過部、２１０ｂ  青色光透過部、３００  液晶層、Ｐ  画素、Ｐｒ  赤色画素、Ｐｇ  緑色画素、Ｐｂ  青色画素、ＰＩＴ  画素電極、ＣＨ  コンタクトホール、ＧＬ  ゲート線、ＤＬ  データ線、ＤＬａ  第１データ線、ＤＬｂ  第２データ線、ＤＬｃ  第３データ線、ＴＦＴ  薄膜トランジスタ、ＴＦＴｂ  第１薄膜トランジスタ、ＴＦＴｇ  第２薄膜トランジスタ、ＴＦＴｒ  第３薄膜トランジスタ、ＰＳ  スペーサ、ＰＳ１  第１スペーサ、ＰＳ２  第２スペーサ。
【図１】
2015045784.tif 000003
【図２】
2015045784.tif 000004
【図３】
2015045784.tif 000005
【図４】
2015045784.tif 000006
【図５】
2015045784.tif 000007
【図６】
2015045784.tif 000008
【図７】
2015045784.tif 000009